(57)【特許請求の範囲】
【請求項１】
局側の光回線終端装置を余分に有する冗長構成の局側装置であって、
局側主導の冗長切り替えの制御指令に応じて、前記局側の光回線終端装置を運用系から待機系に切り替える光スイッチと、
前記局側主導の冗長切り替えの遷移期間を含むマスク期間に、宅側の光回線終端装置である宅側装置から受信したＯＡＭフレームに含まれるＯＡＭイベントを無効とする制御部と、を備える局側装置。
【請求項２】
前記制御部は、前記ＯＡＭイベントを無効とするか否かの判定を、前記ＯＡＭフレームの受信時点が当該ＯＡＭイベントの種別に応じて個別に設定された前記マスク期間に入っているか否かによって行う請求項１に記載の局側装置。
【請求項３】
局側の光回線終端装置を余分に有する冗長構成の局側装置とＰＯＮ回線を用いて光通信する、宅側の光回線終端装置である宅側装置であって、
宅側主導の冗長切り替えの契機となる制御フレームを送信するＰＯＮ送受信部と、
前記宅側主導の冗長切り替えの遷移期間を含むマスク期間に検知したＯＡＭイベントを無効とする制御部と、を備える宅側装置。
【請求項４】
前記制御部は、前記ＯＡＭイベントを無効とするか否かの判定を、前記ＯＡＭイベントの取得時点が当該ＯＡＭイベントの種別に応じて個別に設定された前記マスク期間に入っているか否かによって行う請求項３に記載の宅側装置。
【請求項５】
局側の光回線終端装置を余分に有する冗長構成の局側装置とＰＯＮ回線を用いて光通信する、宅側の光回線終端装置である宅側装置であって、
宅側主導の冗長切り替えの契機となる制御フレームを送信するＰＯＮ送受信部と、
前記宅側主導の冗長切り替えの遷移期間の完了後におけるＯＡＭイベントを通常の運用期間よりも検知し難くする制御部と、を備える宅側装置。
【請求項６】
局側の光回線終端装置を余分に有する冗長構成の局側装置と、前記局側装置とＰＯＮ回線を用いて光通信する宅側装置とを含むＰＯＮシステムであって、
請求項１又は請求項２に記載の局側装置もしくは請求項３〜請求項５のいずれか１項に記載の宅側装置が採用されている、あるいは、
請求項１又は請求項２に記載の局側装置と請求項３〜請求項５のいずれか１項に記載の宅側装置の双方が採用されているＰＯＮシステム。
【請求項７】
局側の光回線終端装置を余分に有する冗長構成の局側装置と、宅側の光回線終端装置である宅側装置とがＰＯＮ回線を用いて行う光通信方法であって、
下記の（ａ）〜（ｃ）に定義する少なくとも１つの処理が実行される光通信方法。
（ａ）  局側装置が、局側主導の冗長切り替えの遷移期間を含むマスク期間に宅側装置から受信したＯＡＭフレームに含まれるＯＡＭイベントを無効とするマスク処理
（ｂ）  宅側装置が、宅側主導の冗長切り替えの遷移期間を含むマスク期間に検知したＯＡＭイベントを無効とするマスク処理
（ｃ）  宅側装置が、宅側主導の冗長切り替えの遷移期間の完了後におけるＯＡＭイベントを通常の運用期間よりも検知し難くする検知感度の調整処理
【発明の詳細な説明】
【技術分野】
【０００１】
本発明は、冗長構成の局側装置を含むＰＯＮ（Passive Optical Network）に関する。
具体的には、本発明は、局側の光回線終端装置を余分に有する冗長構成の局側装置と、宅側の光回線終端装置である宅側装置と、局側装置と宅側装置を含むＰＯＮシステムと、冗長構成の局側装置と宅側装置が行う光通信方法に関する。
【背景技術】
【０００２】
ＰＯＮは、局側の光回線終端装置（ＯＳＵ：Optical Subscriber Unit）と複数の宅側の光回線終端装置（ＯＮＵ：Optical Network Unit）とを、光スプリッタ等で分岐された光ファイバ網であるＰＯＮ回線によって接続した通信系である。
ＰＯＮでは、ＯＳＵと複数台のＯＮＵがＰＯＮ回線を共有するので、光ファイバの断線やＯＳＵの故障で通信サービスが止まると、影響が多数の加入者に及ぶ。従って、通信サービスの安定のためには、ＯＳＵやＰＯＮ回線を冗長化することが重要である。
【０００３】
ＰＯＮの構成要素の一部又は全部を冗長化すること、あるいは冗長化された構成要素を切り替えることを「ＰＯＮプロテクション」という。これには種々の方式がある。
例えば、特許文献１には、ＯＳＵを余分に有する冗長構成の局側装置（ＯＬＴ：Optical Line Terminal）が記載されている。このＯＬＴは、冗長ＯＳＵへの切り替え期間中に、光スイッチの切り替えタイミングと各ＯＮＵの送信タイミングを適切に制御することにより、ＰＯＮプロテクションに伴う通信の瞬断を防止する。
【０００４】
非特許文献１には、ユーザデータやＰＯＮを管理する制御データなど、すべてのデータがイーサネット（登録商標）フレームの形式で通信されるＥＰＯＮ（Ethernet（登録商標） PON）が規定されている。
また、非特許文献１では、ＥＰＯＮで用いるアクセス制御プロトコル（ＭＰＣＰ：Multi-Point Control Protocol）と、通信機器の保守管理に関するＯＡＭ（Operations, Administration and Maintenance）のプロトコルも規定されている。
【０００５】
従って、ＰＯＮシステムでは、ＯＳＵ−ＯＮＵ間でＭＰＣＰフレームをやり取りすることにより、ＯＮＵの登録、離脱及び上りアクセス多重制御などが行なわれ、ＯＳＵ−ＯＮＵ間でＯＡＭフレームをやり取りすることにより、通信機器の保守管理が行われる。
非特許文献１では、ＯＡＭ機能の１つとして、所定のＯＡＭイベントを検知した装置が対向装置にその旨を通知することも規定されている。この検知を通知するイベントには、例えば、「フレームエラーイベント」、「シンボルエラーイベント」、「リンクフォルト」、及び「クリティカルイベント」などが含まれる。
【０００６】
また、非特許文献２では、例えばリンクフォルトを含むＯＡＭフレームをＯＳＵがＯＮＵから受信すると、ＯＳＵが、そのイベントを通知してきたＯＮＵの論理リンクを切断（リンクダウン）してもよいことが規定されている。
非特許文献１には、ＰＯＮプロテクションに関する規約は存在しないが、非特許文献２には、ＧＥ−ＰＯＮ及び１０ＧＥ−ＰＯＮについてＰＯＮプロテクションに関する規約が含まれている。
【先行技術文献】
【特許文献】
【０００７】
【特許文献１】特開２０１０−１４７８０１号公報
【非特許文献】
【０００８】
【非特許文献１】IEEE Std.802.3-2008
【非特許文献２】IEEE Std.P1904.1-2013
【発明の概要】
【発明が解決しようとする課題】
【０００９】
ＯＳＵを余分に有する冗長構成のＯＬＴが行うＰＯＮプロテクションは、光トランシーバを搭載したＯＳＵを切り替える処理であるから、切り替えの遷移期間中に光信号に乱れや強度の低下が生じ、ＯＮＵが下り光信号を適切に受信できない場合がある。
このため、ＯＬＴがＰＯＮプロテクションを行う場合には、切り替え元ＯＳＵの配下であったＯＮＵが、上記のリンクフォルトやクリティカルイベントなどのＯＡＭイベントを検知する可能性が高くなる。
【００１０】
この場合、例えば、リンクフォルトなどを含むＯＡＭフレームを切り替え先ＯＳＵに通知すると、切り替え先ＯＳＵがイベントを通知してきたＯＮＵの論理リンクを切断してしまい、ＯＮＵに継続した通信サービスを提供できなくなる。
また、ＰＯＮプロテクションに伴ってＯＡＭイベントを検知し易くなったＯＮＵが多数のＯＡＭフレームを送信すると、切り替え先ＯＳＵが、切り替え直後の短時間に受信した多くのＯＡＭフレームに対応せねばならず、不要な処理負荷が増えるという問題もある。
【００１１】
本発明は、かかる従来の問題点に鑑み、ＰＯＮプロテクションを行ってもＯＮＵに継続して通信サービスを提供できるようにすることを目的とする。
また、本発明は、ＰＯＮプロテクションの完了後における切り替え先ＯＳＵの処理負荷を軽減することを目的とする。
【課題を解決するための手段】
【００１２】
（１）  本発明の一態様に係る局側装置は、局側の光回線終端装置を余分に有する冗長構成の局側装置であって、局側主導の冗長切り替えの制御指令に応じて、前記局側の光回線終端装置を運用系から待機系に切り替える光スイッチと、前記局側主導の冗長切り替えの遷移期間を含むマスク期間に、宅側の光回線終端装置である宅側装置から受信したＯＡＭフレームに含まれるＯＡＭイベントを無効とする制御部と、を備える。
【００１３】
（３）  本発明の一態様に係る宅側装置は、局側の光回線終端装置を余分に有する冗長構成の局側装置とＰＯＮ回線を用いて光通信する、宅側の光回線終端装置である宅側装置であって、宅側主導の冗長切り替えの契機となる制御フレームを送信するＰＯＮ送受信部と、前記宅側主導の冗長切り替えの遷移期間を含むマスク期間に検知したＯＡＭイベントを無効とする制御部と、を備える。
【００１４】
（５）  本発明の別の態様に係る宅側装置は、局側の光回線終端装置を余分に有する冗長構成の局側装置とＰＯＮ回線を用いて光通信する、宅側の光回線終端装置である宅側装置であって、宅側主導の冗長切り替えの契機となる制御フレームを送信するＰＯＮ送受信部と、前記宅側主導の冗長切り替えの完了後におけるＯＡＭイベントを検知し難くする制御部と、を備える。
【００１５】
（６）  本発明の一態様に係るＰＯＮシステムは、局側の光回線終端装置を余分に有する冗長構成の局側装置と、前記局側装置とＰＯＮ回線を用いて光通信する宅側装置とを含むＰＯＮシステムであって、上述の局側装置の採用、上述の宅側装置の採用、あるいは、上述の局側装置及び宅側装置の双方の採用のうちのいずれかが選択されている。
【００１６】
（７）  本発明の一態様に係る光通信方法は、局側の光回線終端装置を余分に有する冗長構成の局側装置と、宅側の光回線終端装置である宅側装置とがＰＯＮ回線を用いて行う光通信方法であって、下記の（ａ）〜（ｃ）に定義する少なくとも１つの処理が実行される。
【００１７】
（ａ）  局側装置が、局側主導の冗長切り替えの遷移期間を含むマスク期間に宅側装置から受信したＯＡＭフレームに含まれるＯＡＭイベントを無効とするマスク処理
（ｂ）  宅側装置が、宅側主導の冗長切り替えの遷移期間を含むマスク期間に検知したＯＡＭイベントを無効とするマスク処理
（ｃ）  宅側装置が、宅側主導の冗長切り替えの完了後におけるＯＡＭイベントを検知し難くする検知感度の調整処理
【００１８】
本発明は、上記の特徴的な処理部（制御部など）を備えるＰＯＮの通信装置として実現することができるだけでなく、その特徴的な処理をステップとする通信方法として実現したり、かかるステップをコンピュータに実行させるためのプログラムとして実現したりすることができる。
また、上記の特徴的な処理部（制御部など）は、それが行う処理の一部又は全部を実現する半導体集積回路として実現することもできる。
【発明の効果】
【００１９】
本発明によれば、ＰＯＮプロテクションを行ってもＯＮＵに継続して通信サービスを提供できるようにすることができる。
また、本発明によれば、ＰＯＮプロテクションの完了後における切り替え先ＯＳＵの処理負荷を軽減することができる。
【図面の簡単な説明】
【００２０】
【図１】本発明の実施形態に係る局側装置の構成例を示す図である。
【図２】ＯＳＵの構成例を示すブロック図である。
【図３】ＯＮＵの構成例を示すブロック図である。
【図４】イベント検知部の構成例を示すブロック図である。
【図５】ＯＬＴが主導する第１のプロテクションと、その際にＯＬＴが行うマスク処理の一例を示すシーケンス図である。
【図６】切り替え元ＯＳＵによるマスク処理の一例を示すフローチャートである。
【図７】切り替え先ＯＳＵによるマスク処理の一例を示すフローチャートである。
【図８】ＯＮＵが主導する第２のプロテクションと、その際にＯＮＵが行うマスク処理の一例を示すシーケンス図である。
【図９】ＯＮＵによるマスク処理の一例を示すフローチャートである。
【図１０】ＯＮＵが主導する第２のプロテククションと、その際にＯＮＵが行う検知感度の調整処理の一例を示すシーケンス図である。
【発明を実施するための形態】
【００２１】
＜本発明の実施形態の概要＞
以下、本発明の実施形態の概要を列記して説明する。
（１）  本実施形態の局側装置は、局側の光回線終端装置を余分に有する冗長構成の局側装置であって、局側主導の冗長切り替えの制御指令に応じて、前記局側の光回線終端装置を運用系から待機系に切り替える光スイッチと、前記局側主導の冗長切り替えの遷移期間を含むマスク期間に、宅側の光回線終端装置である宅側装置から受信したＯＡＭフレームに含まれるＯＡＭイベントを無効とする制御部と、を備える。
【００２２】
本実施形態の局側装置によれば、制御部が、局側主導の冗長切り替え（第１のＰＯＮプロテクション）の遷移期間を含むマスク期間に宅側装置から受信したＯＡＭフレームに含まれるＯＡＭイベントを無効とするので、第１のＰＯＮプロテクションの後にＯＮＵと通信する切り替え先ＯＳＵが、ＯＮＵの論理リンクを切断するのを防止することができ、ＯＮＵに継続した通信サービスを提供できる。
【００２３】
また、局側装置の制御部がＯＡＭイベントを無効とすることにより、切り替え先ＯＳＵは当該ＯＡＭイベントに対応する必要がなくなる。
このため、第１のＰＯＮプロテクションの完了後における切り替え先ＯＳＵの処理負荷を軽減することができる。
【００２４】
（２）  本実施形態の局側装置において、前記制御部は、前記ＯＡＭイベントを無効とするか否かの判定を、前記ＯＡＭフレームの受信時点が当該ＯＡＭイベントの種別に応じて個別に設定された前記マスク期間に入っているか否かによって行うことが好ましい。
この場合、制御部が、イベントの種別に応じて個別に設定されたマスク期間によりＯＡＭイベントの無効を判定するので、マスク期間を一律に設定する場合に比べて、ＯＡＭイベントの種別ごとに柔軟にマスク処理を行うことができる。
【００２５】
（３）  本実施形態の宅側装置は、局側の光回線終端装置を余分に有する冗長構成の局側装置とＰＯＮ回線を用いて光通信する、宅側の光回線終端装置である宅側装置であって、宅側主導の冗長切り替えの契機となる制御フレームを送信するＰＯＮ送受信部と、前記宅側主導の冗長切り替えの遷移期間を含むマスク期間に検知したＯＡＭイベントを無効とする制御部と、を備える。
【００２６】
本実施形態の宅側装置によれば、制御部が、宅側主導の冗長切り替え（第２のＰＯＮプロテクション）の遷移期間を含むマスク期間に検知したＯＡＭイベントを無効とするので、第２のＰＯＮプロテクションの後にＯＮＵと通信する切り替え先ＯＳＵが、ＯＮＵの論理リンクを切断するのを防止することができ、ＯＮＵに継続した通信サービスを提供できる。
【００２７】
また、ＯＮＵの制御部がＯＡＭイベントを無効とすることにより、切り替え先ＯＳＵは、当該ＯＡＭイベントを含むＯＡＭフレームを受信することがなく、当該ＯＡＭイベントに対応する必要がなくなる。
このため、第２のＰＯＮプロテクションの完了後における切り替え先ＯＳＵの処理負荷を軽減することができる。
【００２８】
（４）  本実施形態の宅側装置において、前記制御部は、前記ＯＡＭイベントを無効とするか否かの判定を、前記ＯＡＭイベントの取得時点が当該ＯＡＭイベントの種別に応じて個別に設定された前記マスク期間に入っているか否かによって行うことが好ましい。
この場合、制御部が、イベントの種別に応じて個別に設定されたマスク期間によりＯＡＭイベントの無効を判定するので、マスク期間を一律に設定する場合に比べて、ＯＡＭイベントの種別ごとに柔軟にマスク処理を行うことができる。
【００２９】
（５）  本実施形態の宅側装置は、局側の光回線終端装置を余分に有する冗長構成の局側装置とＰＯＮ回線を用いて光通信する、宅側の光回線終端装置である宅側装置であって、宅側主導の冗長切り替えの契機となる制御フレームを送信するＰＯＮ送受信部と、前記宅側主導の冗長切り替えの遷移期間の完了後におけるＯＡＭイベントを通常の運用期間よりも検知し難くする制御部と、を備える。
【００３０】
本実施形態の宅側装置によれば、制御部が、宅側主導の冗長切り替え（第２のＰＯＮプロテクション）の遷移期間の完了後におけるＯＡＭイベントを通常の運用期間よりも検知し難くするので、第２のＰＯＮプロテクションの後にＯＮＵと通信する切り替え先ＯＳＵが、ＯＮＵの論理リンクを切断する可能性を低減することができ、ＯＮＵに継続した通信サービスを提供できる。
【００３１】
また、ＯＮＵの制御部がＯＡＭイベントを検知し難くすることにより、切り替え先ＯＳＵは、当該ＯＡＭイベントを含むＯＡＭフレームを受信する可能性が少なくなり、当該ＯＡＭイベントに対応する必要性を低減できる。
このため、第２のＰＯＮプロテクションの完了後における切り替え先ＯＳＵの処理負荷を軽減することができる。
【００３２】
（６）  本実施形態のＰＯＮシステムは、局側の光回線終端装置を余分に有する冗長構成の局側装置と、前記局側装置とＰＯＮ回線を用いて光通信する宅側装置とを含むＰＯＮシステムであって、上述の局側装置もしくは上述の宅側装置が採用されている、あるいは、上述の局側装置と上述の宅側装置の双方が採用されている。
【００３３】
本実施形態のＰＯＮシステムによれば、上述の局側装置もしくは上述の宅側装置が採用されている、あるいは、上述の局側装置と上述の宅側装置の双方が採用されているので、上述の局側装置の作用効果及び上述の宅側装置の作用効果のうちの少なくとも１つの作用効果を奏する。
【００３４】
（７）  本実施形態の光通信方法は、局側の光回線終端装置を余分に有する冗長構成の局側装置と、宅側の光回線終端装置である宅側装置とがＰＯＮ回線を用いて行う光通信方法であって、下記の（ａ）〜（ｃ）に定義する少なくとも１つの処理が実行される。
（ａ）  局側装置が、局側主導の冗長切り替えの遷移期間を含むマスク期間に宅側装置から受信したＯＡＭフレームに含まれるＯＡＭイベントを無効とするマスク処理
（ｂ）  宅側装置が、宅側主導の冗長切り替えの遷移期間を含むマスク期間に検知したＯＡＭイベントを無効とするマスク処理
（ｃ）  宅側装置が、宅側主導の冗長切り替えの遷移期間の完了後におけるＯＡＭイベントを通常の運用期間よりも検知し難くする検知感度の調整処理
【００３５】
本実施形態の光通信方法によれば、上記の（ａ）〜（ｃ）に定義する少なくとも１つの処理が実行されるので、上述の局側装置の作用効果及び上述の宅側装置の作用効果のうちの少なくとも１つの作用効果を奏する。
【００３６】
＜本発明の実施形態の詳細＞
以下、図面を参照して、本発明の実施形態の詳細を説明する。なお、以下に記載する実施形態の少なくとも一部を任意に組み合わせてもよい。
本実施形態では、局側（通信事業者側）の光回線終端装置の集合体（ＯＬＴ）を「局側装置」といい、宅側（加入者側）の光回線終端装置を「宅側装置」という。
【００３７】
また、局側の光回線終端装置を「ＯＳＵ」と略記し、局側装置を「ＯＬＴ」と略記し、宅側装置を「ＯＮＵ」と略記することがある。
なお、本実施形態に共通の前提として、ＰＯＮはイーサネットベースのＰＯＮ（ＥＰＯＮ）であり、ＩＥＥＥ８０２．３ａｈで定義されたＭＰＣＰフレームによってＯＮＵの登録、離脱、ＯＮＵへの帯域割当及びＯＮＵからの帯域要求などが行なわれるものとする。
【００３８】
〔局側装置の構成〕
図１は、本実施形態の局側装置１の構成例を示すブロック図である。
図１に示すように、本実施形態の光通信システムは、局側装置（ＯＬＴ）１と、複数の宅側装置（ＯＮＵ）２と、複数のＰＯＮ回線３とを含むＰＯＮシステムである。
ＰＯＮ回線３は、光カプラ４等よりなる受動光分岐ノードによって光ファイバ５を分岐させたツリー構造の光ファイバ網である。
【００３９】
局側装置１には、複数本（図１の例ではＮ本）のＰＯＮ回線３が接続され、ＰＯＮ回線３は局側装置１において終端する。すなわち、局側装置１は、ＰＯＮ回線３の幹線（光カプラ４の上位側の光ファイバ５）の終端に接続されている。宅側装置２は、ＰＯＮ回線３の支線（光カプラ４の下位側の光ファイバ５）の終端に接続されている。
局側装置１の上位側は、コア網等よりなる上位網に通じている。宅側装置２の下位側は、ＬＡＮ（Local Area Network）等よりなる下位網に通じている。
【００４０】
局側装置１は、上位側（図１の左側）から順に、集線部１１、管理制御部１２、複数のＯＳＵ１３、及び光スイッチ１４を備えている。
局側装置１は、余分な数（図１ではＮ＋１個）のＯＳＵ１３が筐体に収容されたＯＳＵ１３の集合体であり、ＯＳＵ１３に関してＮ：１の冗長構成となっている。すなわち、Ｎ＋１個のＯＳＵ１３のうち、１〜Ｎ番目が運用系（現用）のＯＳＵ１３であり、Ｎ＋１番目のＯＳＵ１３が待機系（予備）のＯＳＵ１３である。
【００４１】
集線部１１は、各ＯＳＵ１３から入力された上りフレームを多重して上位網に送信するとともに、上位網から受信した下りフレームを適切なＯＳＵ１３に振り分ける処理を行なうことができる。
【００４２】
光スイッチ１４は、Ｎ＋１個の上位側ポートと、Ｎ個の下位側ポートとを備える。１〜Ｎ番目の上位側ポートには運用系ＯＳＵ１３が接続され、Ｎ＋１番目の上位側ポートには待機系ＯＳＵ１３が接続されている。
また、１〜Ｎ番目の上位側ポートに対応する１〜Ｎ番目の下位側ポートに、それぞれＰＯＮ回線３が接続されている。
【００４３】
光スイッチ１４は、管理制御部１２からの制御指令に基づいて、運用系ＯＳＵ１３の代わりに待機系ＯＳＵ１３がＰＯＮ回線３と繋がるように、ポート間の光伝送経路を切り替えることができる。
例えば、上位側ポートのポート番号を「ｉ」（＝１〜Ｎ＋１）とし、下位側ポートのポート番号を「ｊ」（＝１〜Ｎ）とすると、光スイッチ１４は、管理制御部１２から制御指令がない場合は、ポート番号ｉ＝ポート番号ｊとなるように光伝送経路を設定している。
【００４４】
ｉ＝１の運用系ＯＳＵ１３に代えて、ｉ＝Ｎ＋１の待機系ＯＳＵ１３を動作させる制御指令を受けると、光スイッチ１４は、ポート番号ｊ＝１の下位側ポートの接続先を、ポート番号ｉ＝Ｎ＋１の上位側ポートに切り替える。
同様に、ｉ＝２〜Ｎのいずれかの運用系ＯＳＵ１３に代えて、Ｎ＋１番目の待機系ＯＳＵ１３を動作させる制御指令を受けると、光スイッチ１４は、ポート番号ｊ＝２〜Ｎのいずれかの下位側ポートの接続先を、ポート番号ｉ＝Ｎ＋１の上位側ポートに切り替える。
【００４５】
管理制御部１２は、局側装置１の統括的な制御を行うプロセッサよりなる。管理制御部１２と各ＯＳＵ１３（具体的には、図２に示すＯＳＵ１３のＰＯＮ制御部３２）は、内部バス（図示せず）を介して通信可能に接続されている。
従って、管理制御部１２は、各ＯＳＵ１３と個別に情報交換を行うことができ、各ＯＳＵ１３は、他のＯＳＵ１３と直接的にあるいは管理制御部１２を介して間接的に情報交換を行うことができる。
【００４６】
管理制御部１２は、ＰＯＮプロテクションを実施する場合には、切り替え元となる運用系ＯＳＵ１３、切り替え先となる待機系ＯＳＵ１３、及び光スイッチ１４に冗長切り替えの制御指令を送信する。
制御指令を受信した光スイッチ１４は、切り替え対象となるＯＳＵ１３に関して上述のポートの切り替えを行う。制御指令を受信した切り替え先ＯＳＵ１３は、内部の各回路をウェイクアップさせて動作を開始する。制御指令を受信した切り替え元ＯＳＵ１３は、内部の各回路をスリープダウンさせて動作を休止する。
【００４７】
管理制御部１２は、局側装置１の操作ＩＦ（インタフェース）１５と通信可能に接続されている。操作ＩＦ１５は、管理ネットワーク１６を介して通信事業者（ユーザ）の管理装置１７と通信可能である。
ユーザは、管理装置１７に操作情報を入力することができる。管理装置１７は、入力された操作情報を管理制御部１２に送信する。管理制御部１２は、操作情報にＰＯＮプロテクションの実行が含まれる場合には、冗長切り替えの制御指令を生成する。
【００４８】
なお、図１の構成例では、待機系ＯＳＵ１３が１つだけ設けられた、Ｎ：１の冗長切り替え（ＰＯＮプロテクション）の局側装置１を例示しているが、２つ以上の待機系ＯＳＵ１３を含む局側装置１であってもよい。
【００４９】
〔ＰＯＮプロテクションの方式〕
本実施形態のＰＯＮプロテクションは、局側装置１が主導するプロテクション（以下、「第１のプロテクション」という。）と、宅側装置２が主導するプロテクション（以下、「第２のプロテクション」という。）の２つの方式がある。
「第１のプロテクション」には、ユーザによる操作が契機となるプロテクションと、局側装置１による故障検知が契機となるプロテクションがある。
【００５０】
前者のプロテクションは、操作ＩＦ１５に入力された操作情報に基づいて行われるプロテクションである。
後者のプロテクションは、運用系ＯＳＵ１３の故障が検出された場合や、運用系ＯＳＵ１３が上り光信号を一定期間受信しない場合（「Optical LoSイベント」の検出）に行われるプロテクションである。なお、「LoS」は「Loss of Signal」の意味である。以下において、Optical LoSイベントを「ＬｏＳイベント」ともいう。
【００５１】
第１のプロテクションを実施する場合は、管理制御部１２は、冗長切り替えの制御指令を生成し、生成した制御指令を切り替え元ＯＳＵ１３、切り替え先ＯＳＵ１３及び光スイッチ１４に送信する。
制御指令を受信した切り替え元ＯＳＵ１３は、光スイッチ１４の切り替えに先立ち、配下の宅側装置２の管理情報を切り替え先ＯＳＵ１３に転送する。
【００５２】
制御指令を受信した光スイッチ１４は、宅側装置２が収容されたＰＯＮ回線３の下位側ポート（ｊ＝１〜Ｎ）の接続先を、切り替え先ＯＳＵ１３に対応する上位側ポート（ｉ＝Ｎ＋１）に変更する。
その後、切り替え先ＯＳＵ１３は、切り替え元ＯＳＵ１３から転送された宅側装置２の管理情報に基づいて、ＰＯＮ回線３に繋がる配下の宅側装置２と光通信を行う。
【００５３】
なお、切り替え元ＯＳＵ１３が転送する管理情報には、次の情報が含まれる。
１）ＯＮＵの種別情報
この種別情報は、例えば、ＯＮＵが１ＧＯＮＵ、１０Ｇ非対称ＯＮＵ又は１０Ｇ対称ＯＮＵのいずれかを示す情報である。
２）ＯＮＵのＭＡＣアドレス
【００５４】
３）ＯＮＵのＲＴＴ（Round Trip Time）情報
４）ＱｏＳ（Quality of Service）パラメータ
このパラメータは、当該ＯＮＵに設定する優先度クラス、最低保証帯域及び最大許容帯域を定義するためのパラメータである。
５）上位ネットワークにおけるＶＬＡＮモード
【００５５】
「第２のプロテクション」は、宅側装置２による故障検知が契機となるプロテクションである。具体的には、第２のプロテクションは、宅側装置２が下り光信号を一定期間受信しない場合（「ＬｏＳイベント」の検出）に行われるプロテクションである。
宅側装置２は、ＬｏＳイベントを検出すると、このイベントを含むＯＡＭフレームをＯＳＵ１３に送信する。このイベントを取得した運用系ＯＳＵ１３は、管理制御部１２にその旨を伝え、管理制御部１２はこれを契機に第２のプロテクションを実施する。
【００５６】
第２のプロテクションを実施する場合も、管理制御部１２は、冗長切り替えの制御指令を生成し、生成した制御指令を切り替え元ＯＳＵ１３、切り替え先ＯＳＵ１３及び光スイッチ１４に送信する。
制御指令を受信した切り替え元ＯＳＵ１３は、光スイッチ１４の切り替えに先立ち、配下の宅側装置２の管理情報を切り替え先ＯＳＵ１３に転送する。
【００５７】
制御指令を受信した光スイッチ１４は、宅側装置２が収容されたＰＯＮ回線３の下位側ポート（ｊ＝１〜Ｎ）の接続先を、切り替え先ＯＳＵ１３に対応する上位側ポート（ｉ＝Ｎ＋１）に変更する。
その後、切り替え先ＯＳＵ１３は、切り替え元ＯＳＵ１３から転送された宅側装置２の管理情報に基づいて、ＰＯＮ回線３に繋がる配下の宅側装置２と光通信を行う。
【００５８】
第２のプロテクションにおいて、宅側装置２は、局側装置１でのＰＯＮプロテクションの完了を、切り替え先ＯＳＵ１３からの制御フレームの受信によって検出する。
すなわち、宅側装置２（具体的には、図３のＰＯＮ制御部２４）は、自装置においてＬｏＳイベントを検知した後に、切り替え先ＯＳＵ１３から所定の制御フレーム（例えば、ＭＰＣＰフレーム、拡張ＭＡＣ制御フレーム及び拡張ＯＡＭフレームなど）を受信したことにより、局側装置１による冗長切り替え（ＰＯＮプロテクション）が完了したことを察知する。
【００５９】
〔ＯＳＵの構成〕
図２は、ＯＳＵ１３の構成例を示すブロック図である。
図２に示すように、ＯＳＵ１３は、上位側（図２の左側）から下位側に向かって順に、上位網ＩＦ（インタフェース）部３１、ＰＯＮ制御部３２、受信処理部３３、送信処理部３４、及びＰＯＮ送受信部３５を備えている。また、ＯＳＵ１３は、上りバッファ３６及び下りバッファ３７を備えている。
【００６０】
ＰＯＮ送受信部３５は、光トランシーバにより構成されている。ＰＯＮ送受信部３５は、光スイッチ１４から入力される１．２７μｍ帯の光信号を電気信号に変換し、その電気信号を受信処理部３３に出力する。
ＰＯＮ送受信部３５は、送信処理部３４から入力される電気信号を１．５７７μｍ帯の光信号に変換し、その光信号を光スイッチ１４に出力する。
【００６１】
受信処理部３３は、ＰＯＮ送受信部３５から入力される電気信号からフレームを再構成し、フレーム種別がＭＰＣＰフレーム又はＯＡＭフレームなどの制御フレームであれば、その制御フレームをＰＯＮ制御部３２へ出力する。
受信処理部３３は、フレーム種別がユーザフレームであれば、それを上りバッファ３６へ出力する。
【００６２】
上位網ＩＦ部３１は、上りバッファ３６にフレームがあれば、そのフレームを取り出して上位網へ出力するとともに、上位網からフレームが入力されると、そのフレームを下りバッファ３７に出力する。
送信処理部３４は、ＰＯＮ制御部３２から入力されるフレームを、電気信号としてＰＯＮ送受信部３５に出力するとともに、下りバッファ３７にフレームがあれば、ＰＯＮ制御部３２からのフレームの合間にそれを下りバッファ３７から取り出し、電気信号としてＰＯＮ送受信部３５に出力する。
【００６３】
ＰＯＮ制御部３２は、配下のＯＮＵ２を管理するためのＭＰＣＰフレーム及びＯＡＭフレームなどの制御フレームを生成し、生成した制御フレームを、送信処理部３４を介してＯＮＵ２へ送信する。
ＰＯＮ制御部３２は、ＯＮＵ２から送られるＭＰＣＰフレーム及びＯＡＭフレームなどの制御フレームを、受信処理部３３を介して受信し、受信した制御フレームの内容に対応する処理を行う。
【００６４】
本実施形態では、ＯＳＵ１３のＰＯＮ制御部３２は、ＯＮＵ２から受信したＯＡＭフレームに含まれるＯＡＭイベントの種別に応じて、以下の種々の処理を行う。
例えば、ＯＮＵ２から通知されたＯＡＭイベントがＬｏＳイベントである場合には、ＰＯＮ制御部３２は、通知されたＬｏＳイベントを管理制御部１２に転送する。ＯＮＵ２からのＬｏＳイベントの通知は、第２のプロテクションの契機となるからである。
【００６５】
ＯＮＵ２から通知されたＯＡＭイベントが、所定期間に受信したＯＡＭフレームに含まれる所定種別のイベントである場合には、ＰＯＮ制御部３２は、これらのイベントに対応する処理を実行しないマスク処理を実行する。
すなわち、ＰＯＮ制御部３２は、所定期間中に取得した所定種別のイベントを無視する「マスク処理部４１」としての機能を有する。なお、ＯＳＵ１３のマスク処理部４１が実行するマスク処理（図５〜図７）の詳細については後述する。
【００６６】
ＰＯＮ制御部３２は、自装置に含まれる各部３１，３３，３４，３５のいずれかから、故障の検知信号（例えば、ＰＯＮ送受信部３５が検知するＬｏＳイベント）を取得すると、その検知信号を管理制御部１２に転送する。この検知信号は、第１のプロテクション処理の契機となるからである。
管理制御部１２が送信する冗長切り替えの制御指令には、切り替え先の識別番号と切り替え元の識別番号が含まれる。
【００６７】
ＰＯＮ制御部３２は、制御指令に含まれる切り替え元の識別番号が自装置の識別番号に該当する場合には、自装置がＰＯＮプロテクションの切り替え元に指定されたと判断し、ＯＳＵ１３内の各部３１，３３，３４，３５にスリープ指示を送信する。
ＰＯＮ制御部３２は、制御指令に含まれる切り替え先の識別番号が自装置の識別番号に該当する場合には、自装置がＰＯＮプロテクション切り替え先に指定されたと判断し、ＯＳＵ１３内の各部３１，３３，３４，３５にウェイク指示を送信する。
【００６８】
〔ＯＮＵの構成〕
図３は、ＯＮＵ２の構成例を示すブロック図である。
図３に示すように、ＯＮＵ２は、上位側（図３の左側）から下位側に向かって順に、ＰＯＮ送受信部２１、送信処理部２２、受信処理部２３、ＰＯＮ制御部２４及び下位網ＩＦ（インタフェース）部２５を備えている。また、ＯＮＵ２０は、２種類の上りバッファ２６，２７と、１種類の下りバッファ２８を備えている。第１上りバッファ２６は制御フレーム用であり、第２上りバッファ２７はユーザフレーム用である。
【００６９】
ＰＯＮ送受信部２１は、光トランシーバにより構成されている。ＰＯＮ送受信部２１は、ＰＯＮ回線３から入力される１．４９μｍ帯の光信号を電気信号に変換し、その電気信号を受信処理部２３に出力する。
ＰＯＮ送受信部２１は、送信処理部２２から入力される電気信号を１．３μｍ帯の光信号に変換し、その光信号をＰＯＮ回線３に出力する。なお、光信号は、送信処理部２２から入力されるバーストイネーブル信号がオフの期間は発光しないバースト信号となる。
【００７０】
受信処理部２３は、ＰＯＮ送受信部２１から入力される電気信号からフレームを再構成し、ＬＬＩＤ（Logical Link ID）が自装置宛ではないフレームと、ブロードキャストのＬＬＩＤでないフレームを廃棄する。
受信処理部２３は、廃棄されなかったフレームについてはフレーム種別を調べ、それが制御フレームであれば、その制御フレームをＰＯＮ制御部２４へ出力し、ユーザフレームであれば、そのユーザフレームを下りバッファ２８へ出力する。
【００７１】
下位網ＩＦ部２５は、下りバッファ２８にフレームがあれば、そのフレームを取り出して下位網のメディアに応じた下り信号に変換して出力する。
また、下位網ＩＦ部２５は、下位網から上り信号を受信すると、その上り信号を内部信号へ変換した後でフレームを再構成し、第２上りバッファ２７へ出力する。
【００７２】
送信処理部２２は、ＰＯＮ制御部２４からの送信指示に従い、自ら生成したレポートフレームや、第１上りバッファ２６及び第２上りバッファ２７から取り出したフレームを、電気信号として指示された期間にＰＯＮ送受信部２１に送出する。このとき、送信処理部２２はバーストイネーブル信号を有効にする。
ＰＯＮ制御部２４からの送信指示には、フレームの対象（レポートフレームか否か）、送信開始時刻及び送信期間などが含まれる。
【００７３】
送信処理部２２は、指示された対象がレポートフレームの場合は、レポートフレームを送信し、指示された対象がレポートフレームでない場合は、第１上りバッファ２６及び第２上りバッファ２７のフレームを送信する。
上記各バッファ２６，２７からのフレームの取り出しは、第１上りバッファ２６の方が第２上りバッファ２７よりも高い優先順位で行われる。
【００７４】
送信処理部２２は、ＰＯＮ制御部２４からレポートフレームの生成を指示された場合、上記各バッファ２６，２７に保存されている情報量を参照してレポートフレームを生成する。このとき、送信処理部２２は、引数として与えられたグラント長に対応したフレーム群については、レポートに含めない。
送信処理部２２は、フレームを電気信号に変換する際に、登録要求フレームに対してはブロードキャストのＬＬＩＤを付与し、その他のフレーム対しては当該ＯＮＵ２のＬＬＩＤを付与する。
【００７５】
ＰＯＮ制御部２４は、ＯＳＵ１３から送られるＭＰＣＰフレーム及びＯＡＭフレームなどの制御フレームを、受信処理部２３を介して受信し、受信した制御フレームの内容に対応する処理を行う。
ＰＯＮ制御部２４は、その応答あるいは自ら生成するＭＰＣＰフレーム及びＯＡＭフレームを、送信処理部２２を介してＯＳＵ１３へ送信する。
【００７６】
受信処理部２３は、所定のＯＡＭイベントを検知するイベント検知部４３を有する。イベント検知部４３が検知するＯＡＭイベントには、例えば次のイベントが含まれる。
１）フレームエラーイベント
２）シンボルエラーイベント
３）リンクフォルト
４）クリティカルイベント
５）Optical LoSイベント
【００７７】
フレームエラーイベントとは、所定期間に受信したフレームに所定数以上のエラーを含むフレームがあることを意味する。
シンボルエラーイベントとは、所定期間に受信した受信信号に含まれるシンボル（符号）に所定数以上のエラーがあることを意味する。
リンクフォルトとは、ある程度の受光強度は得られているが、光電変換後の増幅信号の電圧が所定値より低い状態（無信号状態）が所定期間以上継続することを意味する。
【００７８】
クリティカルイベントとは、IEEE Std.802.3には規定されていないベンダー依存のイベントである。本実施形態では、光トランシーバの光送信部に何らかの故障が発生したこと、例えば、レーザー素子の駆動電圧が閾値未満となったことと定義する。
Optical LoSイベントとは、前述の通り、光信号（ＯＮＵ２の場合には下り光信号）を一定期間受信しないことを意味する。
イベント検知部４３は、上記のいずれかのイベントを検知すると、それらのイベントをＰＯＮ制御部２４に通知する。
【００７９】
本実施形態では、ＯＮＵ２のＰＯＮ制御部２４は、イベント検知部４３から通知されたＯＡＭイベントの種別に応じて、以下の種々の処理を行う。
例えば、イベント検知部４３から通知されたＯＡＭイベントがＬｏＳイベントである場合には、ＰＯＮ制御部３２は、ＬｏＳイベントを含むＯＡＭフレームを生成し、生成したＯＡＭフレームを第１上りバッファ２６に出力する。ＯＮＵ２からのＬｏＳイベントの通知は、第２のプロテクションの契機となるからである。
【００８０】
イベント検知部４３から通知されたＯＡＭイベントが、所定期間に通知された所定種別のイベントである場合には、ＰＯＮ制御部３２は、これらのイベントをＯＳＵ１３に通知しないマスク処理を実行する。
すなわち、ＰＯＮ制御部２４は、所定期間中に取得した所定種別のイベントを対向装置に通知しない「マスク処理部４２」としての機能を有する。なお、ＯＮＵ２のマスク処理部４２が実行するマスク処理（図８及び図９）の詳細については後述する。
【００８１】
〔イベント検知部の構成〕
図４は、イベント検知部４３の構成例を示すブロック図である。
図４に示すように、イベント検知部４３は、イベント通知部５０、フレームエラー検知部５１、及びシンボルエラー検知部５２を備えている。
光トランシーバ２１の光受信部５６が出力する電気信号は、図示しない物理層符号化部にて符号化されてシンボルエラー判定部２０１に入力される。シンボルエラー判定部２０１は、電気信号をＭＡＣフレームに生成してフレームエラー判定部１０１に出力する。
【００８２】
フレームエラー検知部５１は、フレームエラー判定部１０１、エラーカウンタ１０２、観測タイマー１０３、及びエラー数判定部１０４を含む。
フレームエラー判定部１０１は、シンボルエラー判定部２０１から入力されたＭＡＣフレームのエラーを検出すると、検出信号をエラーカウンタ１０２に出力する。
観測タイマー１０３は、ＰＯＮ制御部２４から指示された観測周期Ｃ１を計測し、観測周期Ｃ１の経過ごとにエラーカウンタ１０２にカウントのリセット信号を出力する。
【００８３】
エラーカウンタ１０２は、観測タイマー１０３からリセット信号を受けると、前回のリセット信号から今回のリセット信号までにカウントした検出信号の数をエラー数判定部１０４に出力する。
エラー数判定部１０４は、取得した検出信号の数がＰＯＮ制御部２４から指示された閾値Ｔｈ１以上である場合にフレームエラーありと判定し、その判定結果（フレームエラーイベント）をイベント通知部５０に出力する。
【００８４】
シンボルエラー検知部５２は、シンボルエラー判定部２０１、エラーカウンタ２０２、観測タイマー２０３、及びエラー数判定部２０４を含む。
シンボルエラー判定部２０１は、光受信部５６から入力されたデジタル信号の符号エラーを検出すると、検出信号をエラーカウンタ２０２に出力する。
観測タイマー２０３は、ＰＯＮ制御部２４から指示された観測周期Ｃ２を計測し、観測周期Ｃ２の経過ごとにエラーカウンタ２０２にカウントのリセット信号を出力する。
【００８５】
エラーカウンタ２０２は、観測タイマー２０３からリセット信号を受けると、前回のリセット信号から今回のリセット信号までにカウントした検出信号の数をエラー数判定部２０４に出力する。
エラー数判定部２０４は、取得した検出信号の数がＰＯＮ制御部２４から指示された閾値Ｔｈ２以上である場合にシンボルエラーありと判定し、その判定結果（シンボルエラーイベント）をイベント通知部５０に出力する。
【００８６】
光トランシーバ２１は、受信異常検知部５３を備える。受信異常検知部５３は、光受信部５６が出力する電気信号の増幅電圧を測定する測定器よりなる。
受信異常検知部５３は、増幅後の電気信号がＰＯＮ制御部２４から指示された閾値Ｔｈ３以下である状態（無信号状態）が、所定期間以上継続した場合にリンクフォルトの発生と判定し、その判定結果（リンクフォルト）をイベント通知部５０に出力する。
【００８７】
光トランシーバ２１は、光送信部のための故障判定部５４を備える。故障判定部５４は、レーザー素子の駆動電圧を測定する測定器よりなる。
故障判定部５４は、レーザー素子の駆動電圧がＰＯＮ制御部２４から指示された閾値Ｔｈ４以下である状態が、所定期間以上継続した場合にクリティカルイベントの発生と判定し、その判定結果（クリティカルイベント）をイベント通知部５０に出力する。
【００８８】
光トランシーバ２１は、受光強度測定部５５を備える。受光強度測定部５５は、ＰＯＮ回線３から光受信部５６に入力される下り光信号の強度を測定する測定器よりなる。
受光強度測定部５５は、下り光信号が所定の閾値以下である状態（無光状態）が、所定期間以上継続した場合にＬｏＳイベントの発生と判定し、その判定結果（ＬｏＳイベント）をイベント通知部５０に出力する。
イベント通知部５０は、上述の各部５１〜５５から所定のＯＡＭイベントが入力されると、入力されたＯＡＭイベントをＰＯＮ制御部２４に通知する。
【００８９】
〔第１実施形態：ＯＬＴよるマスク処理〕
図５は、ＯＬＴ１が主導する第１のプロテクションと、その際にＯＬＴ１が行うマスク処理の一例を示すシーケンス図である。
なお、以下の説明では、処理主体がＯＳＵ１３になっているが、実際の処理主体は、ＯＳＵ１３に搭載されたＰＯＮ制御部３２（図２のマスク処理部４１）である。図６及び図７のフローチャートについても同様である。
【００９０】
図５において、ｔｓは冗長切り替えの「開始時点」を示し、ｔｅは冗長切り替えの「完了時点」を示す。具体的には、開始時点ｔｓは、切り替え元ＯＳＵ１３がＯＮＵ２の管理情報の提供を開始した時点であり、完了時点ｔｅは、切り替え先ＯＳＵ１３がＯＮＵ２の管理情報の提供を受けて通信の準備が整った時点である。
局側主導の冗長切り替えである第１プロテクションにおいては、開始時点ｔｓから完了時点ｔｅまでの期間を、当該冗長切り替えの「遷移期間」とする。
【００９１】
図５中のＥ１〜Ｅ４は、第１のプロテクションの開始及び完了の前後に、ＯＮＵ２から通知されるＯＡＭイベントの種別を示している。
具体的には、図５に記載の通り、イベントＥ１は「フレームエラーイベント」を示し、イベントＥ２は「シンボルエラーイベント」を示し、イベントＥ３は「リンクフォルト」を示し、イベントＥ４は「クリティカルイベント」を示す。
【００９２】
Ｍ１〜Ｍ４のボックスは、イベントＥ１〜Ｅ４ごとに時間長が異なるように予め設定された「マスク期間」を示している。
各マスク期間Ｍ１〜Ｍ４は、少なくともｔｓ〜ｔｅまでの期間を含み、添え字の数値が大きい方のマスク期間は添え字の数値が小さい方のマスク期間を包含する時間長となるように設定されている。すなわち、マスク期間Ｍの添え字をｍ，ｎとし、ｎ＞ｍとすると、マスク期間Ｍｎはマスク期間Ｍｍを包含する。
【００９３】
具体的には、マスク期間Ｍ１〜Ｍ４の開始時点ｔｓ以前の事前期間を、それぞれＴbef_1〜Ｔbef_4とすると、マスク期間Ｍ１〜Ｍ４の事前期間Ｔbef_1〜Ｔbef_4には、次の不等式が成立する。Ｔbef_1≦Ｔbef_2≦Ｔbef_3≦Ｔbef_4
また、マスク期間Ｍ１〜Ｍ４の完了時点ｔｅ以後の事後期間を、それぞれＴaft_1〜Ｔaft_4とすると、マスク期間Ｍ１〜Ｍ４の事後期間Ｔaft_1〜Ｔaft_4には、次の不等式が成立する。Ｔaft_1≦Ｔaft_2≦Ｔaft_3≦Ｔaft_4
【００９４】
図５に示す例では、切り替え元ＯＳＵ１３は、開始時点ｔｓ以前に５つのＯＡＭフレームを受信している。これらのＯＡＭフレームに含まれるＯＡＭイベントの種別は、前から順に、Ｅ１→Ｅ４→Ｅ３→Ｅ２→Ｅ１となっている。
この場合、イベントＥ１を含む最初のＯＡＭフレームの受信時は、イベントＥ１に対応するマスク期間Ｍ１から外れているので、切り替え元ＯＳＵ１３は、取得したイベントＥ１（フレームエラーイベント）を有効とする。
【００９５】
イベントＥ４を含む２番目のＯＡＭフレームの受信時は、イベントＥ４に対応するマスク期間Ｍ４の期間内であるので、切り替え元ＯＳＵ１３は、取得したイベントＥ４（クリティカルイベント）を無効とする。
イベントＥ３を含む３番目のＯＡＭフレームの受信時は、イベントＥ３に対応するマスク期間Ｍ３の期間内であるので、切り替え元ＯＳＵ１３は、取得したイベントＥ３（リンクフォルト）を無効とする。
【００９６】
イベントＥ２を含む４番目のＯＡＭフレームの受信時は、イベントＥ２に対応するマスク期間Ｍ２の期間内であるので、切り替え元ＯＳＵ１３は、取得したイベントＥ２（シンボルエラーイベント）を無効とする。
イベントＥ１を含む５番目のＯＡＭフレームの受信時は、イベントＥ１に対応するマスク期間Ｍ１の期間内であるので、切り替え元ＯＳＵ１３は、取得したイベントＥ１（フレームエラーイベント）を無効とする。
【００９７】
このように、マスク期間Ｍ１〜Ｍ４の事前期間Ｔbef_1〜Ｔbef_4の開始までに、各マスク期間Ｍ１〜Ｍ４に対応するイベントＥ１〜Ｅ４が通知された場合には、切り替え元ＯＳＵ１３は通知されたイベントＥ１〜Ｅ４を有効とする。
逆に、マスク期間Ｍ１〜Ｍ４の事前期間Ｔbef_1〜Ｔbef_4の開始後に、各マスク期間Ｍ１〜Ｍ４に対応するイベントＥ１〜Ｅ４が通知された場合には、切り替え元ＯＳＵ１３は通知されたイベントＥ１〜Ｅ４を無効とする。
【００９８】
図５に示す例では、開始時点ｔｓから完了時点ｔｅまでの遷移期間中に、ＯＮＵ２がイベントＥ１を含む２つのＯＡＭフレームを送信している。
この期間中においては、切り替え元ＯＳＵ１３と切り替え先ＯＳＵ１３は、受信したＯＡＭフレームに含まれるすべての種別のイベントを無効とする。その理由は、冗長切り替えの遷移期間中は、切り替え先ＯＳＵ１３へのＯＮＵ２の管理情報の提供が未完了の可能性が高く、適切なＰＯＮ通信を保証できないからである。
【００９９】
図５に示す例では、切り替え先ＯＳＵ１３は、完了時点ｔｅ以後に５つのＯＡＭフレームを受信しており、これらのＯＡＭフレームに含まれるＯＡＭイベントの種別は、前から順に、Ｅ１→Ｅ２→Ｅ３→Ｅ４→Ｅ１となっている。
この場合、イベントＥ１を含む最初のＯＡＭフレームの受信時は、イベントＥ１に対応するマスク期間Ｍ１内であるので、切り替え先ＯＳＵ１３は、取得したイベントＥ１（フレームエラーイベント）を無効とする。
【０１００】
イベントＥ２を含む２番目のＯＡＭフレームの受信時は、イベントＥ２に対応するマスク期間Ｍ２の期間内であるので、切り替え先ＯＳＵ１３は、取得したイベントＥ２（シンボルエラーイベント）を無効とする。
イベントＥ３を含む３番目のＯＡＭフレームの受信時は、イベントＥ３に対応するマスク期間Ｍ３の期間内であるので、切り替え先ＯＳＵ１３は、取得したイベントＥ３（リンクフォルト）を無効とする。
【０１０１】
イベントＥ４を含む４番目のＯＡＭフレームの受信時は、イベントＥ４に対応するマスク期間Ｍ４の期間内であるので、切り替え先ＯＳＵ１３は、取得したイベントＥ４（クリティカルイベント）を無効とする。
イベントＥ１を含む５番目のＯＡＭフレームの受信時は、イベントＥ１に対応するマスク期間Ｍ１から外れているので、切り替え先ＯＳＵ１３は、取得したイベントＥ１（フレームエラーイベント）を有効とする。
【０１０２】
このように、マスク期間Ｍ１〜Ｍ４の事後期間Ｔaft_1〜Ｔaft_4の終了までに、各マスク期間Ｍ１〜Ｍ４に対応するイベントＥ１〜Ｅ４が通知された場合には、切り替え先ＯＳＵ１３は通知されたイベントＥ１〜Ｅ４を無効とする。
逆に、マスク期間Ｍ１〜Ｍ４の事後期間Ｔaft_1〜Ｔaft_4の終了後に、各マスク期間Ｍ１〜Ｍ４に対応するイベントＥ１〜Ｅ４が通知された場合には、切り替え先ＯＳＵ１３は通知されたイベントＥ１〜Ｅ４を有効とする。
【０１０３】
図６は、切り替え元ＯＳＵ１３によるマスク処理の一例を示すフローチャートである。
図６に示すように、切り替え元ＯＳＵ１３は、所定のイベントＥ１〜Ｅ４を含むＯＡＭフレームを受信すると（ステップＳ１０）、まず、自装置が切り替え処理中であるか否かを判定する（ステップＳ１１）。この判定は、具体的には、冗長切り替えの開始時点ｔｓを経過しているか否かによって行われる。
【０１０４】
上記の判定結果が肯定的である場合には、切り替え元ＯＳＵ１３は、ＯＡＭフレームに含まれるイベントＥ１〜Ｅ４を無効と判定する（ステップＳ１４）。
上記の判定結果が否定的である場合には、切り替え元ＯＳＵ１３は、イベントＥ１〜Ｅ４を含むＯＡＭフレームの受信から、各イベントＥ１〜Ｅ４に対応する事前期間Ｔbef_1〜Ｔbef_4が経過するまでの間に、冗長切り替えが開始されたか否かを判定する（ステップＳ１２）。
【０１０５】
上記の判定結果が否定的である場合には、切り替え元ＯＳＵ１３は、ＯＡＭフレームに含まれるイベントＥ１〜Ｅ４を有効と判定する（ステップＳ１３）。
上記の判定結果が肯定的である場合には、切り替え元ＯＳＵ１３は、ＯＡＭフレームに含まれるイベントＥ１〜Ｅ４を無効と判定する（ステップＳ１５）。
【０１０６】
図７は、切り替え先ＯＳＵ１３によるマスク処理の一例を示すフローチャートである。
図７に示すように、切り替え先ＯＳＵ１３は、所定のイベントＥ１〜Ｅ４を含むＯＡＭフレームを受信すると（ステップＳ２０）、まず、自装置が切り替え完了前であるか否かを判定する（ステップＳ２１）。この判定は、具体的には、冗長切り替えの完了時点ｔｅの経過前か否かによって行われる。
【０１０７】
上記の判定結果が肯定的である場合には、切り替え先ＯＳＵ１３は、ＯＡＭフレームに含まれるイベントＥ１〜Ｅ４を無効と判定する（ステップＳ２４）。
上記の判定結果が否定的である場合には、切り替え先ＯＳＵ１３は、完了時点ｔｅ後の経過時間が、各イベントＥ１〜Ｅ４に対応する事後期間Ｔaft_1〜Ｔaft_4よりも大きいか否かを判定する（ステップＳ２２）。
【０１０８】
上記の判定結果が否定的である場合には、切り替え先ＯＳＵ１３は、ＯＡＭフレームに含まれるイベントＥ１〜Ｅ４を無効と判定する（ステップＳ２３）。
上記の判定結果が肯定的である場合には、切り替え先ＯＳＵ１３は、ＯＡＭフレームに含まれるイベントＥ１〜Ｅ４を有効と判定する（ステップＳ２５）。
【０１０９】
〔第１実施形態の効果〕
第１実施形態のＯＬＴ１によれば、ＯＳＵ１３のＰＯＮ制御部３２が、局側主導の冗長切り替え（第１のＰＯＮプロテクション）の遷移期間（図５のｔｓ〜ｔｅ）を含むマスク期間にＯＮＵ２から受信したＯＡＭフレームに含まれるＯＡＭイベントＥ１〜Ｅ４を無効とするので、第１のＰＯＮプロテクションの後にＯＮＵ２と通信する切り替え先ＯＳＵ１３が、ＯＮＵ２の論理リンクを切断するのを防止することができる。従って、ＯＮＵ２に継続した通信サービスを提供できる。
【０１１０】
また、第１実施形態のＯＬＴ１によれば、ＯＳＵ１３のＰＯＮ制御部３２が、上記のＯＡＭイベントＥ１〜Ｅ４を無効とすることにより、切り替え先ＯＳＵ１３が当該ＯＡＭイベントＥ１〜Ｅ４に対応する必要がなくなる。
このため、第１のＰＯＮプロテクションの完了後における切り替え先ＯＳＵ１３の処理負荷を軽減できるという利点もある。
【０１１１】
更に、第１実施形態のＯＬＴ１によれば、ＯＳＵ１３のＰＯＮ制御部３２が、イベントＥ１〜Ｅ４の種別に応じて個別に設定されたマスク期間Ｍ１〜Ｍ４によりＯＡＭイベントＥ１〜Ｅ４の無効を判定する（図５参照）。
このため、イベントＥ１〜Ｅ４の種別に関係なくマスク期間Ｍ１〜Ｍ４を一律の同じ期間に設定する場合に比べて、ＯＡＭイベントＥ１〜Ｅ４の種別ごとに柔軟にマスク処理を行うことができる。
【０１１２】
なお、第１実施形態のＯＬＴ１では、切り替え元ＯＳＵ１３のＰＯＮ制御部３２と切り替え先ＯＳＵ１３のＰＯＮ制御部３２が、それぞれ分担してマスク処理を実行しているが（図５〜図７参照）、ＯＬＴ１の管理制御部１２がＯＡＭフレームの処理を担うこととして、その管理制御部１２が一括して上述のマスク処理を実行することにしてもよい。
【０１１３】
〔第２実施形態：ＯＮＵよるマスク処理〕
図８は、ＯＮＵ２が主導する第２のプロテクションと、その際にＯＮＵ２が行うマスク処理の一例を示すシーケンス図である。
図８に示すように、第２のプロテクションは、ＬｏＳイベントを含むＯＡＭフレームを切り替え元ＯＳＵ１３が受信することによって実施される。また、ＯＮＵ２は、プロテクション完了後に切り替え先ＯＳＵ１３が送信する制御フレームを受信することにより、第２のプロテクションの完了を検知する。
【０１１４】
図８において、ｔｓはＬｏＳイベントの「検知時点」を示し、ｔｅは冗長切り替え完了の「検知時点」を示している。
宅側主導の冗長切り替えである第２プロテクションにおいては、検知時点ｔｓから検知時点ｔｅまでの期間を、当該冗長切り替えの「遷移期間」とする。
【０１１５】
図８中のＥ１〜Ｅ４は、第２のプロテクションの実施の前後に、ＯＮＵ２のイベント検知部４３が検知するＯＡＭイベントの種別を示している。
具体的には、図８に記載の通り、イベントＥ１は「フレームエラーイベント」を示し、イベントＥ２は「シンボルエラーイベント」を示し、イベントＥ３は「リンクフォルト」を示し、イベントＥ４は「クリティカルイベント」を示す。
【０１１６】
Ｍ１〜Ｍ４のボックスは、イベントＥ１〜Ｅ４ごとに時間長が異なるように予め設定された「マスク期間」を示している。
各マスク期間Ｍ１〜Ｍ４は、少なくともｔｓ〜ｔｅまでの期間を含み、添え字の数値が大きい方のマスク期間は添え字の数値が小さい方のマスク期間を包含する時間長となるように設定されている。すなわち、マスク期間Ｍの添え字をｍ，ｎとし、ｎ＞ｍとすると、マスク期間Ｍｎはマスク期間Ｍｍを包含する。
【０１１７】
具体的には、マスク期間Ｍ１〜Ｍ４の検知時点ｔｓ以前の事前期間を、それぞれＴbef_1〜Ｔbef_4とすると、マスク期間Ｍ１〜Ｍ４の事前期間Ｔbef_1〜Ｔbef_4には、次の不等式が成立する。Ｔbef_1≦Ｔbef_2≦Ｔbef_3≦Ｔbef_4
また、マスク期間Ｍ１〜Ｍ４の検知時点ｔｅ以後の事後期間を、それぞれＴaft_1〜Ｔaft_4とすると、マスク期間Ｍ１〜Ｍ４の事後期間Ｔaft_1〜Ｔaft_4には、次の不等式が成立する。Ｔaft_1≦Ｔaft_2≦Ｔaft_3≦Ｔaft_4
【０１１８】
図８に示す例では、イベント検知部４３は、検知時点ｔｓ以前に５つのＯＡＭイベントを検知している。これらのＯＡＭイベントの種別は、前から順に、Ｅ１→Ｅ４→Ｅ３→Ｅ２→Ｅ１となっている。
この場合、最初のイベントＥ１の取得時は、イベントＥ１に対応するマスク期間Ｍ１から外れているので、ＰＯＮ制御部２４（具体的にはマスク処理部４２。以下、同様。）は、イベント検知部４３から通知されたイベントＥ１（フレームエラーイベント）を有効とし、イベントＥ１を含むＯＡＭフレームを切り替え元ＯＳＵ１３に送信する。
【０１１９】
２番目のイベントＥ４の取得時は、イベントＥ４に対応するマスク期間Ｍ４の期間内であるので、ＰＯＮ制御部２４は、イベント検知部４３から通知されたイベントＥ４（クリティカルイベント）を無効とする。
３番目のイベントＥ３の取得時は、イベントＥ３に対応するマスク期間Ｍ３の期間内であるので、ＰＯＮ制御部２４は、イベント検知部４３から通知されたイベントＥ３（リンクフォルト）を無効とする。
【０１２０】
４番目のイベントＥ２の取得時は、イベントＥ２に対応するマスク期間Ｍ２の期間内であるので、ＰＯＮ制御部２４は、イベント検知部４３から通知されたイベントＥ２（シンボルエラーイベント）を無効とする。
５番目のイベントＥ１の取得時は、イベントＥ１に対応するマスク期間Ｍ１の期間内であるので、ＰＯＮ制御部２４は、イベント検知部４３から通知されたイベントＥ１（フレームエラーイベント）を無効とする。
【０１２１】
このように、マスク期間Ｍ１〜Ｍ４の事前期間Ｔbef_1〜Ｔbef_4の開始までに、各マスク期間Ｍ１〜Ｍ４に対応するイベントＥ１〜Ｅ４が通知された場合には、ＰＯＮ制御部２４は通知されたイベントＥ１〜Ｅ４を有効とする。
逆に、マスク期間Ｍ１〜Ｍ４の事前期間Ｔbef_1〜Ｔbef_4の開始後に、各マスク期間Ｍ１〜Ｍ４に対応するイベントＥ１〜Ｅ４が通知された場合には、ＰＯＮ制御部２４は通知されたイベントＥ１〜Ｅ４を無効とする。
【０１２２】
図８に示す例では、検知時点ｔｓから検知時点ｔｅまでの遷移期間中に、ＰＯＮ制御部２４が２つのイベントＥ１，Ｅ２を順に取得している。
この期間中においては、ＯＮＵ２のＰＯＮ制御部２４は、取得したすべての種別のイベントを無効とする。その理由は、冗長切り替えの遷移期間中は、切り替え先ＯＳＵ１３へのＯＮＵ２の管理情報の提供が未完了の可能性が高く、適切なＰＯＮ通信を保証できないからである。
【０１２３】
図８に示す例では、イベント検知部４３は、検知時点ｔｅ以後に５つのＯＮＵイベントを検知している。これらのＯＡＭイベントの種別は、前から順に、Ｅ１→Ｅ２→Ｅ３→Ｅ４→Ｅ１となっている。
この場合、最初のイベントＥ１の取得時は、イベントＥ１に対応するマスク期間Ｍ１の期間内であるので、ＰＯＮ制御部２４は、イベント検知部４３から通知されたイベントＥ１（フレームエラーイベント）を無効とする。
【０１２４】
２番目のイベントＥ２の取得時は、イベントＥ２に対応するマスク期間Ｍ２の期間内であるので、ＰＯＮ制御部２４は、イベント検知部４３から通知されたイベントＥ２（シンボルエラーイベント）を無効とする。
３番目のイベントＥ３の取得時は、イベントＥ３に対応するマスク期間Ｍ３の期間内であるので、ＰＯＮ制御部２４は、イベント検知部４３から通知されたイベントＥ３（リンクフォルト）を無効とする。
【０１２５】
４番目のイベントＥ４の取得時は、イベントＥ４に対応するマスク期間Ｍ４の期間内であるので、ＰＯＮ制御部２４は、イベント検知部４３から通知されたイベントＥ４（リンクフォルト）を無効とする。
５番目のイベントＥ１の取得時は、イベントＥ１に対応するマスク期間Ｍ１からはずれているので、ＰＯＮ制御部２４は、イベント検知部４３から通知されたイベントＥ１（フレームエラーイベント）を有効とし、イベントＥ１を含むＯＡＭフレームを切り替え先ＯＳＵ１３に送信する。
【０１２６】
このように、マスク期間Ｍ１〜Ｍ４の事後期間Ｔaft_1〜Ｔaft_4の終了までに、各マスク期間Ｍ１〜Ｍ４に対応するイベントＥ１〜Ｅ４が通知された場合には、ＰＯＮ制御部２４は通知されたイベントＥ１〜Ｅ４を無効とする。
逆に、マスク期間Ｍ１〜Ｍ４の事後期間Ｔbef_1〜Ｔbef_4の終了後に、各マスク期間Ｍ１〜Ｍ４に対応するイベントＥ１〜Ｅ４が通知された場合には、ＰＯＮ制御部２４は通知されたイベントＥ１〜Ｅ４を有効とする。
【０１２７】
図９は、ＯＮＵ２によるマスク処理の一例を示すフローチャートである。
図９に示すように、ＯＮＵ２のＰＯＮ制御部２４は、所定のイベントＥ１〜Ｅ４が通知されると（ステップＳ３０）、まず、第２のプロテクションの契機となるＬｏＳイベントが検出済みか否かを判定する（ステップＳ３１）。
【０１２８】
ステップＳ３１の判定結果が否定的である場合には、第２のプロテクションが実施されるか否か不明な状態である。
従って、この場合、ＰＯＮ制御部２４は、所定のイベントＥ１〜Ｅ４が通知された後、各イベントＥ１〜Ｅ４に対応する事前期間Ｔbef_1〜Ｔbef_4が経過するまでの間に、ＬｏＳイベントの通知がないか否かを判定する（ステップＳ３２）。
【０１２９】
上記の判定結果が否定的である場合は、ＰＯＮ制御部２４は、通知されたイベントＥ１〜Ｅ４を無効と判断し、そのイベントＥ１〜Ｅ４を含むＯＡＭフレームを送信しない（ステップＳ３３）。
上記の判定結果が肯定的である場合は、ＰＯＮ制御部２４は、通知されたイベントＥ１〜Ｅ４を有効と判断し、そのイベントＥ１〜Ｅ４を含むＯＡＭフレームを送信する（ステップＳ３４）。
【０１３０】
ステップＳ３１の判定結果が肯定的である場合には、第２のプロテクションが既に実施されている状態である。
従って、この場合、ＰＯＮ制御部２４は、第２のプロテクションが完了済みか否かを判定する（ステップＳ３３）。この判定は、切り替え先ＯＳＵ１３から制御フレームを受信したか否かによって行われる。
【０１３１】
上記の判定結果が否定的である場合は、第２のプロテクションの実行中であるから、ＰＯＮ制御部２４は、通知されたイベントＥ１〜Ｅ４を無効と判断し、そのイベントＥ１〜Ｅ４を含むＯＡＭフレームを送信しない（ステップＳ３６）。
上記の判定結果が肯定的である場合は、ＰＯＮ制御部２４は、更に、検知時点ｔｅ後の経過時間が、各イベントＥ１〜Ｅ４に対応する事後期間Ｔaft_1〜Ｔaft_4よりも大きいか否かを判定する（ステップＳ３７）。
【０１３２】
上記の判定結果が否定的である場合には、ＰＯＮ制御部２４は、通知されたイベントＥ１〜Ｅ４を無効と判断し、そのイベントＥ１〜Ｅ４を含むＯＡＭフレームを送信しない（ステップＳ３８）。
上記の判定結果が肯定的である場合には、ＰＯＮ制御部２４は、通知されたイベントＥ１〜Ｅ４を有効と判断し、そのイベントＥ１〜Ｅ４を含むＯＡＭフレームを送信する（ステップＳ３９）。
【０１３３】
〔第２実施形態の効果〕
第２実施形態のＯＮＵ２によれば、ＰＯＮ制御部２４が、宅側主導の冗長切り替え（第２のＰＯＮプロテクション）の遷移期間（図８のｔｓ〜ｔｅ）を含むマスク期間Ｍ１〜Ｍ４に検知したＯＡＭイベントＥ１〜Ｅ４を無効とするので、第２のＰＯＮプロテクションの後にＯＮＵ２と通信する切り替え先ＯＳＵ１３が、ＯＮＵ２の論理リンクを切断するのを防止することができる。従って、ＯＮＵ２に継続した通信サービスを提供することができる。
【０１３４】
また、第２実施形態のＯＮＵ２によれば、ＰＯＮ制御部２４が、上記のＯＡＭイベントＥ１〜Ｅ４を無効とすることにより、切り替え先ＯＳＵ１３が当該ＯＡＭイベントＥ１〜Ｅ４に対応する必要がなくなる。
このため、第２のＰＯＮプロテクションの完了後における切り替え先ＯＳＵ１３の処理負荷を軽減できるという利点もある。
【０１３５】
更に、第２実施形態のＯＮＵ２によれば、ＰＯＮ制御部２４が、イベントＥ１〜Ｅ４の種別に応じて個別に設定されたマスク期間Ｍ１〜Ｍ４によりＯＡＭイベントＥ１〜Ｅ４の無効を判定する（図８参照）。
このため、イベントＥ１〜Ｅ４の種別に関係なくマスク期間Ｍ１〜Ｍ４を一律の同じ期間に設定する場合に比べて、ＯＡＭイベントＥ１〜Ｅ４の種別ごとに柔軟にマスク処理を行うことができる。
【０１３６】
〔第３実施形態：ＯＮＵによる検出感度の調整処理〕
図１０は、ＯＮＵ２が主導する第２のプロテクションと、その際にＯＮＵ２が行う検出感度の調整処理の一例を示すシーケンス図である。
ここで、ＯＮＵ２が行う検出感度の調整処理とは、第２のＰＯＮプロテクションに際して不要と考えられるイベントＥ１〜Ｅ４についての検出感度を、通常の運用期間よりも低下させる調整処理のことをいう。
【０１３７】
例えば、フレームエラーイベントＥ１やシンボルエラーイベントＥ２などは、ＯＳＵ１３の切り替えの際に通常より多く観測される可能性が高いことは自明である。
このため、宅側主導の第２のＰＯＮプロテクションを行う際に、ＯＬＴ１から指示されることなく、ＯＮＵ２が自律的にイベントＥ１，Ｅ２の検出感度を低下させれば、不要なイベントＥ１，Ｅ２そのものの検出頻度が低下し、切り替え先ＯＳＵ１３が不要なイベントＥ１，Ｅ２を含むＯＡＭフレームを受信する可能性を低減できる。
【０１３８】
図１０に示すように、ＯＮＵ２による検出感度の調整処理の具体例としては、例えば、ＰＯＮ制御部２４が、冗長切り替え完了の検知時点ｔｅにおいてイベント検知部４３のエラーカウンタ１０２，２０２（図４参照）を強制的にクリアさせる処理が考えられる。
このようにすれば、切り替え先ＯＳＵ１３がＯＮＵ２と新たにＰＯＮ通信を確立する前に、冗長切り替えの完了までに検出されたフレームエラーやシンボルエラーの回数がクリアされるので、それらのイベントＥ１，Ｅ２が検出され難くなる。
【０１３９】
図１０に示すように、ＯＮＵ２による検出感度の調整処理の他の具体例としては、例えば、ＰＯＮ制御部２４が、ＬｏＳイベントの検知時点ｔｅから冗長切り替え完了の検知時点ｔｅまでの期間の閾値Ｔｈ１〜Ｔｈ４（図４参照）の設定値が、通常期間の「低レベル」よりも高い「高レベル」となるように動的に設定する処理でもよい。
【０１４０】
このようにすれば、切り替え先ＯＳＵ１３に切り替わる遷移期間中に、不要なイベントＥ１〜Ｅ４が検出され難くなる。このため、遷移期間中に不要なイベントＥ１〜Ｅ４をＯＮＵ２がアップリンクすることによって、切り替え先ＯＳＵ１３が論理リンクの切断を行う可能性を低下させることができる。
【０１４１】
〔第３実施形態の効果〕
第３実施形態のＯＮＵ２によれば、ＰＯＮ制御部２４が、宅側主導の冗長切り替え（第２のＰＯＮプロテクション）の遷移期間（図１０のｔｓ〜ｔｅ）の完了後におけるＯＡＭイベントＥ１〜Ｅ４を検知し難くするので、第２のＰＯＮプロテクションの後にＯＮＵ２と通信する切り替え先ＯＳＵ１３が、ＯＮＵ２の論理リンクを切断する可能性が低減する。従って、ＯＮＵ２に継続した通信サービスを提供することができる。
【０１４２】
また、第３実施形態のＯＮＵ２によれば、ＰＯＮ制御部２４が、上記ＯＡＭイベントＥ１〜Ｅ４を検知し難くすることにより、切り替え先ＯＳＵ１３が、当該ＯＡＭイベントトＥ１〜Ｅ４を含むＯＡＭフレームを受信する可能性が少なくなり、当該ＯＡＭイベントＥ１〜Ｅ４に対応する必要性を低減できる。
このため、第２のＰＯＮプロテクションの完了後における切り替え先ＯＳＵ１３の処理負荷を軽減できるという利点もある。
【０１４３】
〔その他の変形例〕
今回開示された実施の形態はすべての点で例示であって制限的なものではないと考えられるべきである。本発明の範囲は特許請求の範囲によって示され、特許請求の範囲と均等の意味及び範囲内での全ての変更が含まれることが意図される。
【０１４４】
上述の第１〜第３実施形態では、次の通信装置をそれぞれ開示している。
（１）第１のプロテクションにおいてマスク処理を行う第１実施形態のＯＬＴ
（２）第２のプロテクションにおいてマスク処理を行う第２実施形態のＯＮＵ
（３）第２のプロテクションにおいて検出感度の調整処理を行う第３実施形態のＯＮＵ
【０１４５】
上記の（１）〜（３）の通信装置をＰＯＮシステムに導入することを想定すると、（１）〜（３）の通信装置のうちの少なくとも１つをＰＯＮシステムの構成要素として導入すればよい。すなわち、（１）〜（３）の通信装置のうちのいずれか１つをＰＯＮシステムに導入してもよいし、（１）〜（３）の通信装置のうちの複数を組み合わせてＰＯＮシステムに導入することにしてもよい。この場合、（２）のＯＮＵと（３）のＯＮＵとを、１つのＰＯＮ回線に混在収容することにしてもよい。
【０１４６】
上述の実施形態において、ＯＬＴ１が実行するマスク処理は、マスク期間Ｍ１〜Ｍ４にＯＮＵ２から受信したＯＡＭフレームに含まれるＯＡＭイベントのうちの「一部」を無効にする処理であってもよいし、「全部」を無効にする処理であってもよい。
同様に、ＯＮＵ２が実行するマスク処理は、マスク期間Ｍ１〜Ｍ４に検知したＯＡＭイベントのうちの「一部」を無効にする処理であってもよいし、「全部」を無効にする処理であってもよい。
【０１４７】
また、ＯＮＵ２が実行する検知感度の調整処理は、宅側主導の冗長切り替えの完了後におけるＯＡＭイベントのうちの「一部」を検知し難くする処理であってもよいし、「全部」を検知し難くする処理であってもよい。
【符号の説明】
【０１４８】
１  局側装置（ＯＬＴ）
２  宅側装置（ＯＮＵ）
３  ＰＯＮ回線
４  光カプラ
５  光ファイバ
１１  集線部
１２  管理制御部（制御部）
１３  局側の光回線終端装置（ＯＳＵ）
１４  光スイッチ
１５  操作ＩＦ
１６  管理ネットワーク
１７  管理装置
２１  ＰＯＮ送受信部（光トランシーバ）
２２  送信処理部
２３  受信処理部
２４  ＰＯＮ制御部（制御部）
２５  下位網ＩＦ部
２６  上りバッファ
２７  上りバッファ
２８  下りバッファ
３１  上位網ＩＦ部
３２  ＰＯＮ制御部（制御部）
３３  受信処理部
３４  送信処理部
３５  ＰＯＮ送受信部（光トランシーバ）
３６  上りバッファ
３７  下りバッファ
４１  ＯＳＵのマスク処理部
４２  ＯＮＵのマスク処理部
４３  イベント検知部
５０  イベント通知部
５１  フレームエラー検知部
５２  シンボルエラー検知部
５３  受信異常検知部
５４  故障判定部
５５  受光強度測定部
５６  光受信部
１０１  フレームエラー判定部
１０２  エラーカウンタ
１０３  観測タイマー
１０４  エラー数判定部
２０１  シンボルエラー判定部
２０２  エラーカウンタ
２０３  観測タイマー
２０４  エラー数判定部
【図１】
0006414406.tif 000002
【図２】
0006414406.tif 000003
【図３】
0006414406.tif 000004
【図４】
0006414406.tif 000005
【図５】
0006414406.tif 000006
【図６】
0006414406.tif 000007
【図７】
0006414406.tif 000008
【図８】
0006414406.tif 000009
【図９】
0006414406.tif 000010
【図１０】
0006414406.tif 000011